(57)【要約】      （修正有）【課題】組立が簡単でコストを節約するソーラーパネル結合用クランプの構造を提供する。【解決手段】ソーラーパネル結合用クランプの構造であって、クランプはソーラーパネル３を圧接するための圧接面２３に、ソーラーパネル端に対向して外向きに突出する金属尖部２４を有する。クランプとソーラーパネルを挟持固定する時、尖部がソーラーパネルの表面焼付塗装を破ってソーラーパネル本体に接触する。それに拠って、クランプはソーラーパネルを挟持固定する機能を備える他に、二枚の相互に隣接するソーラーパネル接地用の連接導線の機能も備える。【選択図】図５
0003211697.tif 000002
【実用新案登録請求の範囲】
【請求項１】
一固定面、少なくとも一連接面及び少なくとも一圧接面を備え、該連接面は該固定面及び該圧接面を連接するのに用い、該固定面はソーラーパネルの支持フレームを固定するのに用い、該圧接面は該ソーラーパネルの最上面辺縁を挟持押圧するのに用いるソーラーパネル結合用クランプの構造において、
該圧接面の該ソーラーパネル向き端は、外凸で導電性を備える尖部を有し、該尖部は該クランプに於いて該ソーラーパネルを挟持固定する時、ソーラーパネルの表面焼付塗装を破って該ソーラーパネル本体に接触することを特徴とするソーラーパネル結合用クランプの構造。
【請求項２】
前記尖部と該圧接面は一体成型であることを特徴とする請求項１記載のソーラーパネル結合用クランプの構造。
【請求項３】
前記尖部と該圧接面は分離した個体を一体に結合することを特徴とする請求項１記載のソーラーパネル結合用クランプの構造。
【請求項４】
前記固定面の両端は個別設置で、連接面及び圧接面を有し、両側クランプを構成し、隣接する二枚の該ソーラーパネルを挟持固定することを特徴とする請求項２又は３記載のソーラーパネル結合用クランプの構造。
【考案の詳細な説明】
【技術分野】
【０００１】
本考案は、ソーラーパネル結合用クランプの構造に関するもので、特に該ソーラーパネルアース線の連接が簡易でアース電源線コストを節約する構造に係る。
【背景技術】
【０００２】
太陽エネルギーは、代替エネルギーの一つであり、そのうち、公知のソーラーパネル１の設置は図１から図３のとおりである。該ソーラーパネル１の固定方法として、固定フレームを設置する。該固定フレームは、地面に接し、且つ傾斜角度備えて設置する。該固定フレームの傾斜面は復数の支持フレーム１０を配置し、該ソーラーパネル１の底面は、該支持フレーム１０最上面に接合し、クランプ１２の一端は該支持フレーム１０と固定し、別一端は該ソーラーパネル１の最上面辺縁で押圧し、該ソーラーパネル１を挟持固定する。該クランプ１２は二種の形態を備える。一種は片側クランプ１２a(図２参照)で，別一種は両側クランプ１２b（図３参照）である。該クランプ１２は主に固定面１２０、連接面１２１及び圧接面１２２を備え、そのうち該連接面１２１は、該固定面１２０及び該圧接面１２２を連接するのに用いる。該固定面１２０は該ソーラーパネル１の支持フレーム１０と連接するのに用い、該圧接面１２２は、該ソーラーパネル１の最上面辺縁を圧接するのに用いる。設置はネジ１３及びナット１４を使用し、該クランプ１２(１２a、１２b)の固定面１２０と支持フレーム１０を固定するのに用いる。更にネジ１３及びナット１４で固定面１２０と支持フレーム１０をきつく締め、相対する該圧接面１２２と該ソーラーパネル１の最上面を挟持固定及び定位する。更に、落雷に拠ってソーラーパネル１が破壊されるのを防止するため、ソーラーパネル１の辺枠毎にはすべて孔を穿設し、アース線１５を固定し、且つ各ソーラーパネル１のアース線１５を連接しなければならない。例として図１に示す。
【考案の概要】
【考案が解決しようとする課題】
【０００３】
解決しようとする問題点は、公知のソーラーパネル１のアース線１５の接続方法は、各ソーラーパネル１の辺枠に孔を穿設した後、アース線端に設置し、次にそれらを連接する。この工法は、手間が掛かるだけでなく、更に多数のアース線費用がかかる。本考案者は、これらを鑑み、研究改良し、遂に本考案を生み出した。
【０００４】
組立が簡単で、コストを節約するソーラーパネル結合用クランプの構造を提供することを本考案の目的とする。
【課題を解決するための手段】
【０００５】
上述の目的を達成するため、本考案の主な特徴として、圧接面の該ソーラーパネル端向きに伸び外凸の金属尖部を設置する。該尖部がクランプできつく挟持した時、ソーラーパネルの表面焼付塗装を破って該ソーラーパネルの本体に接触する。該クランプはソーラーパネルを挟持固定する機能を備える他に、接地の連接導線を備え、組立が簡単でコストを節約する。
【考案の効果】
【０００６】
本考案のソーラーパネル結合用クランプの構造は、組立が簡単でコストを節約するという利点がある。
【図面の簡単な説明】
【０００７】
【図１】公知のソーラーパネルの設置俯瞰図である。
【図２】図１の２s-２s断面図である。
【図３】図１の３s-３s断面図である。
【図４】本考案第一実施例のソーラーパネル設置俯瞰図である。
【図５】本考案の第一実施例の局部分解立体図である。
【図６】本考案の第一実施例の両側クランプ部分断面立体図である。
【図７】本考案第一実施例の両側クランプ挟持固定状態断面図である。
【図８】本考案の第一実施例の片側クランプ立体図である。
【図９】本考案の第一実施例の片側クランプ挟持固定状態断面図である。
【図１０】本考案の第二実施例の局部分解立体図である。
【図１１】本考案の第二実施例の両側クランプ部分断面立体図である。
【図１２】本考案の第二実施例の両側クランプ挟持固定状態断面図である。
【図１３】本考案の第二実施例の片側クランプ立体図である。
【図１４】本考案の第二実施例の片側クランプ挟持固定状態断面図である。
【考案を実施するための形態】
【０００８】
本考案は上述の目的を達成するためであり、採用する技術手段及び達成する効果を以下に実施例を挙げて図式とともに詳細に説明する。
【０００９】
図４、５に示すとおり、本考案第一実施例のクランプ２０は導電性を備える。公知と同じく、両側クランプ２０a(図５から図７参照)及び片側クランプ２０b(図８、図９参照)を備える。該両側クランプ２０aは、隣接する二枚のソーラーパネル３を挟持固定するのに用いる。該片側クランプ２０bは、鄰側にソーラーパネル３がない箇所に用いる。該クランプ２０は固定面２１、連接面２２及び圧接面２３(両側クランプ２０aは二圧接面２３及び二連接面２２を備え、固定面２１的両端に配置して構成する)を備える。該連接面２２は該固定面２１及び該圧接面２３の二者を連接するのに用いる。該固定面２１は、該ソーラーパネル３の支持フレーム３１と連接するのに用いる。該圧接面２３は該ソーラーパネル３の最上面辺縁を圧接するのに用い、該圧接面２３の該ソーラーパネル３端向きには、該ソーラーパネル３向きに突出し、導電性を備える金属材質の尖部２４を備える。該尖部２４はクランプにおいて該ソーラーパネル３を挟持固定する時、ソーラーパネル３の表面の焼付塗装(即ち陽極表面)を破り、該ソーラーパネル３の本体と接触する。上述尖部２４と該圧接面２３は、一体成型もしくは分離個体を組み立てて成型する。
【００１０】
図５から図７に示すとおり、該両側クランプ２０aは二枚の隣接するソーラーパネル３を挟持固定するのに用いる(即ち二圧接面２３はそれぞれ隣接し且つ相対するソーラーパネル３を挟持する)。該両側クランプ２０aの固定面２１は該支持フレーム３１最上面に重ね、ネジ２５の頭部２５０を該支持フレーム３１上に嵌入して固定する。そして、該両側クランプ２０aの固定面２１の開口２１０に該ネジ２５を挿入し、その後ネジ２５はワッシャー２６を嵌合した後、ナット２７とネジ２５で螺設して固定し、該両側クランプ２０aの二圧接面２３で該隣接する二枚のソーラーパネル３を挟持固定し(図７参照)、挟持固定すると同時に、該尖部２４が該ソーラーパネル３表面焼付塗装を破ってソーラーパネル３の本体に接触し、二枚の隣接するソーラーパネル３を接地連接する。片側クランプ２０bの挟持固定方式は図９に示す。接地処理する時、図４に示すとおり、本考案はソーラーパネル３ユニットのうちの一ソーラーパネル３のクランプ２０を引いて接地させるだけでよく、即ちソーラーパネル３ユニット全体の接地作業が完成し、接地処理が非常に便利で、手間が省け、且つアース線のコストを節約する。
【００１１】
図１０から図１２に示すのは、本考案第二実施例の両側クランプ２０cの構造図である。そのうち、該尖部２４aの最上部は、リベット方式で該両側クランプ２０cの圧接面２３と結合及び固定し、底部の尖端は該圧接面２３下方を突出し、且つ該ソーラーパネル３方向へ延びる。本考案は、第二実施例の片側クランプ２０d構造図であり、それは図１３から図１４に示す。
【００１２】
上述のとおり、本考案は予定する機能及び目的を達成し、並びに当領域の習熟者が実施できるように詳細に説明した。以上の実施例は本考案を説明するためだけに用いるものであり、同効果の構造の変更は本考案の請求範囲に含まれる。
【符号の説明】
【００１３】
〈公知〉
１        ソーラーパネル１
１０        支持フレーム１０
１２        クランプ１２
１２ａ      片側クランプ１２a
１２ｂ      両側クランプ１２b
１２０        固定面１２０
１２１        連接面１２１
１２２        圧接面１２２
１３        ネジ１３
１４        ナット１４
１５        アース線１５
〈本考案〉
２０        クランプ２０
２０ａ      両側クランプ
２０ｂ      片側クランプ
２０ｃ      両側クランプ
２０ｄ      片側クランプ
２１        固定面２１
２２        連接面２２
２３        圧接面２３
２４        尖部
２４ａ      尖部
２５        ネジ２５
２５０        頭部２５０
２１０        開口２１０
２６        ワッシャー２６
２７        ナット２７
３        ソーラーパネル３
３１        支持フレーム３１
【図１】
0003211697.tif 000003
【図２】
0003211697.tif 000004
【図３】
0003211697.tif 000005
【図４】
0003211697.tif 000006
【図５】
0003211697.tif 000007
【図６】
0003211697.tif 000008
【図７】
0003211697.tif 000009
【図８】
0003211697.tif 000010
【図９】
0003211697.tif 000011
【図１０】
0003211697.tif 000012
【図１１】
0003211697.tif 000013
【図１２】
0003211697.tif 000014
【図１３】
0003211697.tif 000015
【図１４】
0003211697.tif 000016